(57)【要約】【課題】  電子メールが着信した場合に直ちに応答できない場合でも、発信者毎の固有の事情に応じてきめ細かく対応できる携帯電話機を提供する。【解決手段】  電子メールの送受信機能を備えた携帯電話機。返信メール文とその宛先アドレスとを対応付けて記憶装置の所定の領域（待ち受け返信テーブル及び返信メールメモリ）に保持している。電子メールが着信すると（Ｓ５１でＹＥＳ）、当該電子メールの発信元アドレス（フロムデータ）と待ち受け返信テーブルが持つ返信宛先との合致状態を調べ（Ｓ６２）、合致する返信宛先が抽出された場合は（Ｓ６３でＹＥＳ）、当該返信宛先に対応付けられている返信メール文を返信メールメモリから読み出して、当該発信元へ送信する（Ｓ６６）。【選択図】      図４
2008107972.tif 000002
【特許請求の範囲】
【請求項１】
電子メールの送受信機能を備えた携帯電話機であって、
返信メール文とその宛先とを対応付けて当該携帯電話機の記憶装置の所定の領域に保持している返信メール保持手段と、
電子メールが着信すると、当該電子メールの発信元と前記返信メール保持手段が持つ宛先との合致状態を調べる発信元検査手段と、
前記発信元検査手段により合致する宛先が抽出された場合は、当該宛先に対応付けられている返信メール文を前記返信メール保持手段から読み出して当該宛先へ送信するメール返信手段と、
を有することを特徴とする携帯電話機。
【請求項２】
請求項１に於いて、さらに、
返信メールを作成し、又は、前記返信メール保持手段が持つ返信メール文及び／又は宛先を読み出して編集するための返信メール入力手段と、
前記返信メール入力手段により作成又は編集された返信メール文と宛先とを対応付けて前記返信メール保持手段に記憶する返信メール記憶制御手段と、
を有することを特徴とする携帯電話機。
【請求項３】
請求項１、又は、請求項２に於いて、
待ち受け返信モードを設定するための待ち受け入力手段を更に有し、
前記発信元検査手段は、電子メールが着信した時に待ち受け返信モードが設定されている場合に前記合致状態を調べる、
ことを特徴とする携帯電話機。
【請求項４】
電子メールの送受信機能を備えた携帯電話機であって、
メニューメール文を当該携帯電話機の記憶装置の所定の領域に保持しているメニューメール保持手段と、
附属させるべき複数のメニューメール文を、当該携帯電話機の入力装置からの操作入力に応じて、前記メニューメール保持手段が持つメニューメール文の中から選択するメニューメール選択手段と、
前記メニューメール選択手段により選択された複数のメニューメール文を、当該携帯電話機の入力装置からの操作入力に応じて、送信するべき電子メールに附属させるメニューメール附属手段と、
を有することを特徴とする携帯電話機。
【請求項５】
請求項４に於いて、
前記メニューメール文は、所定の拡張子を持つように作成されたファイルである、
ことを特徴とする携帯電話機。
【請求項６】
電子メールの送受信機能を備えた携帯電話機であって、
電子メールが着信すると、当該電子メールに所定のメニューメール文が附属しているか否かを調べるメニューメール検査手段と、
前記メニューメール検査手段により所定のメニューメール文が附属しているとされた場合は、当該メニューメール文を当該携帯電話機の表示装置に選択可能に表示する候補表示制御手段と、
前記候補表示制御手段により表示される中から、当該携帯電話機の入力装置からの操作入力により指定されたメニューメール文を選択するメニューメール選択手段と、
前記メニューメール選択手段により選択されたメニューメール文を当該着信した電子メールの発信元へ送信するメニューメール返信手段と、
を有することを特徴とする携帯電話機。
【請求項７】
請求項６に於いて、
前記メニューメール検査手段は、所定の拡張子を持つファイルが附属している場合に所定のメニューメール文が附属していると判定する、
ことを特徴とする携帯電話機。
【請求項８】
請求項６に於いて、
前記メニューメール検査手段は、当該着信した電子メールのメールヘッダの情報に基づいて所定のメニューメール文が附属しているか否かを調べる、
ことを特徴とする携帯電話機。
【発明の詳細な説明】
【技術分野】
【０００１】
本発明は、電子メールの送受信機能を備えた携帯電話機に関する。
詳しくは、所定の発信者からの電子メールに対して、当該発信者宛のメッセージ（返信メール文）を自動的に返信する機能を備えた携帯電話機に関する。
また、受信者側にて選択可能な複数のメッセージ（メニューメール文）を送信メールに附属させて送信する機能を備えた携帯電話機に関する。
また、複数のメッセージ（メニューメール文）が附属する電子メールが着信すると、各メッセージを選択可能に候補表示し、その中からユーザの操作入力により選択されたメッセージを当該の発信者へ返信する機能を備えた携帯電話機に関する。
【背景技術】
【０００２】
携帯電話機による電子メールの送受信は、パソコンの場合よりもリアルタイム性を要求されることが多い。その理由としては、（ａ）携帯電話機による電子メールの送受信が友人間での会話の代用とされる場合があること、（ｂ）携帯電話機へ宛てた電子メールは緊急性を有する連絡に用いられる場合が多いこと、を挙げることができる。
【０００３】
特開２００４−２６０４１６号公報（特許文献１）には、音声通話や電子メールの着信に対して自動応答できる携帯電話機が記載されている。即ち、ユーザＢがユーザＡの携帯電話１へ電話をかけるか又は電子メールを送信すると、ユーザＡの携帯電話１にユーザＢの電子メールアドレスが登録されている場合には、ユーザＡの携帯電話１は所定の自動応答メッセージを本文とする電子メールを自動的に返信する。
【０００４】
特開２００５−０３３５６５号公報（特許文献２）には、応答の可否を問う電子メールが着信すると、ユーザのスケジュールを調べて、現在電話応答が可能な場合にはその旨を電子メールで返信し、現在電話応答が不可能な場合にはその旨と電話応答が可能になる時期とを電子メールで返信する携帯電話機が記載されている。ここで、応答の可否を問う電子メールであるか否かは、所定のパスワードを有するか否かにより識別される。
【０００５】
【特許文献１】特開２００４−２６０４１６号公報。
【特許文献２】特開２００５−０３３５６５号公報
【発明の開示】
【発明が解決しようとする課題】
【０００６】
特許文献１の携帯電話機では、電子メールアドレスが登録されている全ての発信者に対して同一内容の電子メールが返信されてしまう。このため、例えば、「Ｋさんから或る案件の進捗状況について連絡が入る頃であるが、今から重要な会議が始まるため、携帯電話機に触れることもできない。会議中に連絡が入った場合には、会議終了後に速やかに連絡する旨をＫさんに知らせたい。しかし、Ｋさんからの連絡は何時になるかわからない。もし、予め、事情（＝会議が始まるため即応できない旨）を知らせると、当該案件の処理を急かせていると思われるかもしれず、好ましくない」、というようなケースに対応できない。即ち、発信者毎の固有の事情に応じてきめ細かく対応することができない。
当然ながら、友人関係を円滑化する会話の代用の補助として用いることはできない。また、緊急の連絡に対する最適な応答を与えることもできない。
【０００７】
特許文献２の携帯電話機は、電話に出られるか否かをパスワード付きの電子メールで予め確認してもらい、出られる場合や、出られるようになる時期に電話をかけてもらうものであるため、電話をかける側に多大な負担を強いることとなる。また、電話をかけてもらう人にパスワードを知らせておく手間が必要であり、さらに、常に正確なスケジュールを携帯電話機に設定しておく手間も必要である。
なお、発信者毎の固有の事情に対応してきめ細かく対応できないこと、友人関係を円滑化する会話の代用の補助として用いることができないこと、緊急の連絡に対する最適な応答を与えることができないことは、特許文献１と同様である。
【０００８】
本発明は、電子メールが着信した場合に直ちに応答できない場合でも、発信者毎の固有の事情に応じてきめ細かく対応できる携帯電話機を提供することを目的とする。また、これにより、友人関係を円滑化する会話の代用の補助として用いたり、緊急の連絡に対する最適な応答を与えることができるようにすることを目的とする。
また、本発明は、送信相手先が、複雑な操作を要する応答は期待できないが簡単な操作での応答は期待できると推定される場合に、最小限必要な情報を返信してもらうことができる携帯電話機を提供することを目的とする。また、電子メールの着信時、複雑な操作はできないが簡単な操作はできる場合に、最小限必要な情報を簡単な操作によって返信できる携帯電話機を提供することを目的とする。また、これにより、友人関係を円滑化する会話の代用の補助として用いたり、緊急の連絡に対する最適な応答を与えることができるようにすることを目的とする。
【課題を解決するための手段】
【０００９】
本発明は、下記［１］〜［８］のように記述される。
［１］構成１：
電子メールの送受信機能を備えた携帯電話機であって、
返信メール文とその宛先とを対応付けて当該携帯電話機の記憶装置の所定の領域に保持している返信メール保持手段と、
電子メールが着信すると、当該電子メールの発信元と前記返信メール保持手段が持つ宛先との合致状態を調べる発信元検査手段と、
前記発信元検査手段により合致する宛先が抽出された場合は、当該宛先に対応付けられている返信メール文を前記返信メール保持手段から読み出して当該宛先へ送信するメール返信手段と、
を有することを特徴とする携帯電話機。
［２］構成２：
構成１に於いて、さらに、
返信メールを作成し、又は、前記返信メール保持手段が持つ返信メール文及び／又は宛先を読み出して編集するための返信メール入力手段と、
前記返信メール入力手段により作成又は編集された返信メール文と宛先とを対応付けて前記返信メール保持手段に記憶する返信メール記憶制御手段と、
を有することを特徴とする携帯電話機。
［３］構成３：
構成１又は構成２に於いて、
待ち受け返信モードを設定するための待ち受け入力手段を更に有し、
前記発信元検査手段は、電子メールが着信した時に待ち受け返信モードが設定されている場合に前記合致状態を調べる、
ことを特徴とする携帯電話機。
【００１０】
［４］構成４：
電子メールの送受信機能を備えた携帯電話機であって、
メニューメール文を当該携帯電話機の記憶装置の所定の領域に保持しているメニューメール保持手段と、
附属させるべき複数のメニューメール文を、当該携帯電話機の入力装置からの操作入力に応じて、前記メニューメール保持手段が持つメニューメール文の中から選択するメニューメール選択手段と、
前記メニューメール選択手段により選択された複数のメニューメール文を、当該携帯電話機の入力装置からの操作入力に応じて、送信するべき電子メールに附属させるメニューメール附属手段と、
を有することを特徴とする携帯電話機。
メニューメール文を附属させる方式としては、送信するべき電子メールの添付ファイルとする方式を用いることができる。或いは、これに代えて、送信するべき電子メールに埋め込む方式を用いてもよい。後者の場合、メニューメール文の存在は、例えば、電子メールのメールヘッダにメニューメール文が存在する旨の情報を持たせることにより、示すことができる。
［５］構成５：
構成４に於いて、
前記メニューメール文は、所定の拡張子を持つように作成されたファイルである、
ことを特徴とする携帯電話機。
【００１１】
［６］構成６：
電子メールの送受信機能を備えた携帯電話機であって、
電子メールが着信すると、当該電子メールに所定のメニューメール文が附属しているか否かを調べるメニューメール検査手段と、
前記メニューメール検査手段により所定のメニューメール文が附属しているとされた場合は、当該メニューメール文を当該携帯電話機の表示装置に選択可能に表示する候補表示制御手段と、
前記候補表示制御手段により表示される中から、当該携帯電話機の入力装置からの操作入力により指定されたメニューメール文を選択するメニューメール選択手段と、
前記メニューメール選択手段により選択されたメニューメール文を当該着信した電子メールの発信元へ送信するメニューメール返信手段と、
を有することを特徴とする携帯電話機。
［７］構成７：
構成６に於いて、
前記メニューメール検査手段は、所定の拡張子を持つファイルが附属している場合に所定のメニューメール文が附属していると判定する、
ことを特徴とする携帯電話機。
［８］構成８：
構成６に於いて、
前記メニューメール検査手段は、当該着信した電子メールのメールヘッダの情報に基づいて所定のメニューメール文が附属しているか否かを調べる、
ことを特徴とする携帯電話機。
【発明の効果】
【００１２】
構成１は、電子メールの送受信機能を備えた携帯電話機であって、返信メール文とその宛先とを対応付けて当該携帯電話機の記憶装置の所定の領域に保持している返信メール保持手段と、電子メールが着信すると、当該電子メールの発信元と前記返信メール保持手段が持つ宛先との合致状態を調べる発信元検査手段と、前記発信元検査手段により合致する宛先が抽出された場合は、当該宛先に対応付けられている返信メール文を前記返信メール保持手段から読み出して当該宛先へ送信するメール返信手段とを有するため、電子メールの着信時に応答できない場合でも、発信元に対応する返信メール文を速やかに読み出して返信することができる。このため、発信者の事情等に応じてきめ細かく対応できる。例えば、友人関係を円滑化する会話の代用の補助として用いたり、緊急の連絡に対する最適な応答をしたりできる。
構成２は、構成１に於いて、さらに、返信メールを作成し、又は、前記返信メール保持手段が持つ返信メール文及び／又は宛先を読み出して編集するための返信メール入力手段と、前記返信メール入力手段により作成又は編集された返信メール文と宛先とを対応付けて前記返信メール保持手段に記憶する返信メール記憶制御手段とを有するため、構成１が奏する作用効果に加えて、宛先毎に最適な返信メール文を用意でき、発信者の事情等に応じて更にきめ細かく対応できる効果がある。
構成３は、構成１又は構成２に於いて、待ち受け返信モードを設定するための待ち受け入力手段を更に有し、前記発信元検査手段は、電子メールが着信した時に待ち受け返信モードが設定されている場合に前記合致状態を調べるため、構成１や２が奏する作用効果に加えて、さらに、所望の時に返信メール文の返信動作を実現できる効果がある。
【００１３】
構成４は、電子メールの送受信機能を備えた携帯電話機であって、メニューメール文を当該携帯電話機の記憶装置の所定の領域に保持しているメニューメール保持手段と、附属させるべき複数のメニューメール文を、当該携帯電話機の入力装置からの操作入力に応じて、前記メニューメール保持手段が持つメニューメール文の中から選択するメニューメール選択手段と、前記メニューメール選択手段により選択された複数のメニューメール文を、当該携帯電話機の入力装置からの操作入力に応じて、送信するべき電子メールに附属させるメニューメール附属手段とを有するため、送信相手先が、複雑な操作を要する応答は期待できないが簡単な操作での応答は期待できると推定される場合に、最小限必要な情報を返信してもらうように送信できる携帯電話機を提供することができる。
構成５は、構成４に於いて、前記メニューメール文は、所定の拡張子を持つように作成されたファイルであるため、構成４が奏する作用効果に加えて、さらに、メニューメール文を識別するための具体的構成を与え得る効果がある。
【００１４】
構成６は、電子メールの送受信機能を備えた携帯電話機であって、電子メールが着信すると、当該電子メールに所定のメニューメール文が附属しているか否かを調べるメニューメール検査手段と、前記メニューメール検査手段により所定のメニューメール文が附属しているとされた場合は、当該メニューメール文を当該携帯電話機の表示装置に選択可能に表示する候補表示制御手段と、前記候補表示制御手段により表示される中から、当該携帯電話機の入力装置からの操作入力により指定されたメニューメール文を選択するメニューメール選択手段と、前記メニューメール選択手段により選択されたメニューメール文を当該着信した電子メールの発信元へ送信するメニューメール返信手段とを有するため、電子メールの着信時、複雑な操作はできないが簡単な操作はできる場合に、最小限必要な情報を簡単な操作により返信できる携帯電話機を提供することができる効果がある。
また、構成４又は５と、構成６との携帯電話機により、友人関係を円滑化する会話の代用の補助として用いたり、緊急の連絡に対する最適な応答をしたりできる効果がある。
構成７は、構成６に於いて、前記メニューメール検査手段は、所定の拡張子を持つファイルが附属している場合に所定のメニューメール文が附属していると判定するため、構成６が奏する作用効果に加えて、さらに、メニューメールの識別手法を具体的に与え得る効果がある。
構成８は、構成６に於いて、前記メニューメール検査手段は、当該着信した電子メールのメールヘッダの情報に基づいて所定のメニューメール文が附属しているか否かを調べるため、構成６が奏する作用効果に加えて、さらに、メニューメールの識別手法を具体的に与え得る効果がある。
【発明を実施するための最良の形態】
【００１５】
図面を参照して本発明の具体的な実施の形態を説明する。なお、携帯電話機が当然に有している公知の機能についての説明は省略する。また、下記では触れていないが、テレビ受信機能やデジカメ機能、或いは，マナーモードでの着信報知を実現するための機構等の公知の付加機能や機構を具備してよいことは勿論である。
図１は実施の形態の携帯電話機の構成を示すブロック図、図２〜図５は図１の携帯電話機の制御装置１０で実行される処理を示すフローチャート、図６（ａ）は図１の記憶装置１１に保持されている待ち受け返信テーブルを例示する説明図、（ｂ）は返信メールメモリを例示する説明図、図７は留守番メール選択後の画面遷移の説明図、図８（ａ）は図１の記憶装置１１に保持されている送信待ちメールメモリの説明図、（ｂ）はメニューメールメモリの説明図である。
【００１６】
図示のように、本携帯電話機は、制御装置１０、記憶装置１１、音声入力装置１２、音声出力装置１３、キー入力装置（キーパッド）１４、表示装置（ＬＣＤ）１５、無線送受信機１６、及び、アンテナ１６ａを有する。
【００１７】
制御装置１０は、記憶装置１１、音声入力装置１２、音声出力装置１３、キー入力装置１４、表示装置１５、及び無線送受信機１６を制御するとともに、携帯電話機としての公知の機能を実現する処理を実行する。また、図２〜図５に示す処理を実行する。
記憶装置１１には、制御装置１０による周辺装置の制御や携帯電話機としての機能の実現を可能とするためのデータやプログラム（何れも不図示）が記憶されている。また、図２〜図５の処理を実行するためのデータやプログラムが記憶されているとともに、適宜の操作入力に応じて、新たに記憶／編集／削除される。
音声入力装置１２は電話音声の入力、音声出力装置１３は電話音声等の出力、キー入力装置１４は種々の指示やデータの入力、表示装置１５は種々の指示を可能とするための表示やその他の表示に用いられる。
無線送受信機１６とアンテナ１６ａは、電話用や電子メールデータ用の電波の送受信に用いられる。
【００１８】
以下、フローチャートに即して、待ち受け返信メールの作成／編集／設定等の機能、待ち受け返信機能、メニューメール文の作成／編集／設定等の機能、メニューメール文の選択・返信機能を説明する。
上記各機能は、上記各機能に対応する所定のプログラムを制御装置１０が記憶装置１１から読み出して実行することにより実現される。
【００１９】
（ａ）待ち受け返信メールの作成等機能（Ｓ０１〜Ｓ０８）：
待ち受け返信メールの作成等機能は、前記構成２が奏する機能である。即ち、キー入力装置１４からの入力操作に応じて返信メール文を作成／編集／削除し、及び／又は、キー入力装置１４からの入力操作に応じて電子メールアドレス（宛先）を入力／選択し、作成等した返信メール文と、入力等した電子メールアドレスとを、キー入力装置１４からの入力操作に応じて対応付けて、記憶装置１１の所定の領域（待ち受け返信テーブル／返信メールメモリ）に記憶する機能である。待ち受け返信テーブルと返信メールメモリが、構成１や２の返信メール保持手段に相当する。
【００２０】
ユーザが表示装置１５の表示（メニュー選択画面；図７（ａ））を見つつ、キー入力装置（キーパッド）１４を操作して、「留守番メール選択」を選択すると、留守番メール選択画面（図７（ｂ））に遷移する。
留守番メール選択画面（図７（ｂ））にて「待ち受け返信メール」を選択すると（Ｓ０１でＹＥＳ）、「待ち受け返信メールモード」が起動される（Ｓ０２）。「待ち受け返信メールモード」とは、待ち受け返信メール文の作成／編集／削除や、待ち受ける相手（宛先）の新規入力／宛先と返信メール文との対応付け／返信設定、或いは、これらを行なうための画面への遷移、等を実現するモードである。
【００２１】
待ち受け返信メールモードが起動されると（Ｓ０２）、又は、待ち受け返信メールモードが起動されている状態では（Ｓ０４でＹＥＳ）、ユーザの操作入力に応じて、待ち受け返信メール画面（図７（ｃ））から適宜の画面への画面遷移や、遷移先の画面に適合した処理が行なわれる（Ｓ０３）。
例えば、返信メール文の作成、返信メールメモリ（図６（ｂ））からの返信メール文の読み出し、その修正、返信メールメモリが保持している返信メール文の削除、返信メール文の宛先（フロムデータ＝電子メールアドレス）の新規入力、待ち受け返信テーブル（図６（ａ））が保持している宛先（フロムデータ＝電子メールアドレス）の読み出し、新規入力又は読み出した宛先と新規入力又は読み出した返信メール文との対応付け等の各処理が、ユーザの操作入力に応じて、それぞれの画面内で行なわれる（Ｓ０３）。
【００２２】
また、上記の処理結果を確定すべき旨がキー入力装置１４から入力されると（Ｓ０６でＹＥＳ）、当該の処理結果が返信メールメモリ及び／又は待ち受け返信テーブルに記憶される（Ｓ０７）。修正の場合は、修正結果で更新される。
待ち受け返信テーブルでは、電子メールアドレス（着信電子メールの発信元アドレスであるフロムデータ；宛先アドレスでもある）と、返信メール文として作成された電子メール文の先頭アドレスと、返信履歴とが、対応付けて記憶されている。
返信メールメモリには、ユーザにより作成された返信メール文が記憶されている。メール文は例示であり、図示以外のメール文であってもよい。また、ユーザ作成のメール文以外に、予め、標準的な返信メール文を出荷時に記憶させておいてもよい。
上記処理結果の確定後、待ち受け返信メールモードが終了され（Ｓ０８）、待ち受けフラグが１にセットされる（Ｓ１２）。また、留守番中アイコン（図７（ａ）参照）がオンされる（Ｓ１２）。
【００２３】
（ｂ）待ち受け返信（着信時自動返信）機能（Ｓ５１〜Ｓ６７）：
着信時自動返信機能は、構成１及び構成２が奏する機能である。即ち、電子メールが着信した場合に於いて、当該電子メールの発信元が待ち受け返信テーブル（図６（ａ））に記憶されている場合（＝自動返信対象として登録されている場合）には、当該発信元に対応付けられている電子メール（返信メール文）を当該発信元へ送信する機能である。
【００２４】
着信時自動返信機能は、待ち受けフラグが１の場合に実行される。
待ち受けフラグは、前述のように待ち受け返信メールモードが終了された時に１にセットされる他、キー入力装置１４からの所定の操作入力に応じて（Ｓ１１でＹＥＳ）セットされる（Ｓ１２）。所定の操作入力としては、例えば、留守番中アイコン（図７（ａ）参照）の選択操作入力や、待ち受け返信モードＯＮ／ＯＦＦ（図７（ｂ）参照）の操作入力を挙げることができる。勿論、これ以外の操作入力に応じて待ち受け返信モードをオン／オフさせるように構成してもよい。また、留守番中アイコンの操作は、待ち受け返信モードのオン／オフではなく、返信履歴の確認に用いるように構成してもよい。
待ち受け返信モードは、また、キー入力装置１４からの同様の操作入力に応じて（Ｓ１３でＹＥＳ）、０にリセットされる（Ｓ１４）。
【００２５】
電子メールが着信すると（Ｓ５１でＹＥＳ）、当該電子メールが着信メールメモリ（記憶装置１１の所定の記憶領域）に記憶される（Ｓ５２）。
この時、待ち受けフラグが１であれば（Ｓ６１でＹＥＳ）、当該電子メールのメールヘッダのフロムデータ（発信元の電子メールアドレス）が、待ち受け返信テーブルが持つ各電子メールアドレスと順に比較対照される（Ｓ６２）。その結果、合致する電子メールアドレスが抽出された場合は（Ｓ６３でＹＥＳ）、当該合致する電子メールアドレスに対応つけられている電子メール（返信メール文）が、返信メールメモリから読み出されて（Ｓ６４）、当該電子メールアドレスへの送信メールとして設定されて（Ｓ６５）、送信される（Ｓ６６）。
その後、当該レコードの返信履歴が１にされる（Ｓ６７）。
【００２６】
（ｃ）メニューメール文の作成等機能（Ｓ２１〜Ｓ２８）：
メニューメール文の作成等の機能は、構成４及び構成５が奏する機能である。即ち、キー入力装置１４からの入力操作に応じてメニューメール文を新規作成し、又は、記憶装置１１の所定領域であるメニューメールメモリ（＝メニューメール保持手段；図８（ｂ）参照）から読み出して編集し、又は削除する機能である。また、作成した電子メール（送信するべき電子メール）に、メニューメール文を附属させて送信設定する機能である。
【００２７】
前述の図７（ｂ）の留守番メール選択画面にてユーザが「メニューメール」を選択すると（Ｓ２１でＹＥＳ）、メニューメールモードが起動される（Ｓ２２）。即ち、メニューメール文を作成／編集／削除等するモードが起動される。
【００２８】
メニューメール作成モードが起動されると（Ｓ２２）、又は、メニューメール作成モードが起動されている状態では（Ｓ２４でＹＥＳ）、ユーザの操作入力に応じて、メニューメール画面（図７（ｄ））から適宜の画面への画面遷移や、遷移先の画面に適合した処理が行なわれる（Ｓ２３）。
例えば、メニューメール文の作成、メニューメール文のメニューメールメモリからの読み出し、その修正、メニューメールメモリが保持しているメニューメールの削除、電子メール（送信するべき電子メール）の新規入力、入力又は所定のメモリ領域（不図示）から読み出した電子メール（送信するべき電子メール）へメニューメール文を附属させる（添付ファイルとする，又は、電子メール中に埋め込む）等の処理が、キー入力装置１４からの操作入力に応じてそれぞれ実行される（Ｓ２３）。
図８（ｂ）にメニューメール文を例示する。なお、ユーザ作成のメール文以外に、予め標準的なメニューメール文を出荷時に記憶させておいてもよい。
【００２９】
また、上記の処理結果を確定すべき旨がキー入力装置１４から入力されると（Ｓ２６でＹＥＳ）、当該の処理結果がメニューメールメモリに記憶される（Ｓ２７）。メニューメール文の修正の場合は、修正結果でメニューメールメモリが更新される。また、電子メール（送信するべき電子メール）が新規入力又は読み出された場合であれば、送信待ちメールメモリ（図８（ａ）参照）に保持される（Ｓ２７）。送信待ちメールメモリでは、当該の電子メール（送信するべき電子メール）と、当該送信するべき電子メールに附属させるべき複数のメニューメール文とが対応付けられており、これに基づいて、電子メールの送信処理（Ｓ３２参照）が行なわれる。
【００３０】
上記処理結果の確定後、メニューメールモードが終了される（Ｓ２８）。
また、上記ステップＳ２３の処理として、電子メール（送信するべき電子メール）にメニューメール文を附属させる処理が実行されていた場合は（Ｓ３１でＹＥＳ）、当該メニューメール文を附属された電子メールが送信される（Ｓ３２）。なお、宛先は、前記ステップＳ２３の処理で当該電子メール（送信するべき電子メール）が作成又は読み出された時に入力又は選択されて対応付けられているものとする。
【００３１】
（ｄ）メニューメール文の選択・返信機能（Ｓ５１，Ｓ５２，Ｓ７１〜Ｓ７６）：
メニューメール文の選択・返信機能は、構成６〜８が奏する機能である。即ち、電子メールが着信した場合に於いて、当該電子メールにメニューメールが附属されている場合には、当該メニューメール文を選択可能に候補表示し、その中からユーザにより選択されたメニューメール文を当該の発信元へ送信する機能である。
【００３２】
電子メールが着信すると（Ｓ５１でＹＥＳ）、当該電子メールが着信メールメモリ（記憶装置１１の所定の記憶領域）に記憶される（Ｓ５２）。
この電子メールにメニューメールが附属されている場合には（Ｓ７１でＹＥＳ）、当該各メニューメールが選択可能に表示装置１５に表示される（Ｓ７２）。メニューメール文が添付されているか否かは、本例では、添付ファイルの拡張子が所定の拡張子（例：ｒｅｔ）であるか否かで判別する。即ち、添付ファイルが「＊＊＊＊＊．ｒｅｔ」であれば、メニューメールが添付されていると判別する。
なお、判別手法はかかる手法に限定されない。例えば、電子メールのヘッダ又はフッタの中の自由に使用できる領域に「メニューメール文が電子メールの本文中に埋め込まれている旨を示す情報」を付加するように構成し、その領域をチェックして識別するようにしてもよい。
【００３３】
候補表示されている中から、キー入力装置１４からの操作入力で何れかのメニューメールが選択されると（Ｓ７３でＹＥＳ，且つ，Ｓ７４でＹＥＳ）、当該の電子メールの発信者宛てに当該のメニューメールが送信設定されて（Ｓ７５）、送信される（Ｓ７６）。
【００３４】
ステップＳ８１〜Ｓ８２は、メニューメールが添付されていない着信メールであって、未処理の着信メールが有る場合に、該未処理の着信メールを着信メールメモリ（記憶装置１１内の所定の記憶領域）から読み出して表示する処理である。
【００３５】
上記では、電子メールの返信を述べているが、電子メールに代えて、同様の内容を音声で返信するように構成することもできる。
【図面の簡単な説明】
【００３６】
【図１】実施の形態の携帯電話機の構成を示すブロック図。
【図２】図１の携帯電話機の制御装置１０で実行される処理を示すフローチャートの一部。返信メールの作成・編集・設定処理を示す。
【図３】図１の携帯電話機の制御装置１０で実行される処理を示すフローチャートの一部。メニューメール作成・編集・設定処理を示す。
【図４】図１の携帯電話機の制御装置１０で実行される処理を示すフローチャートの一部。返信メールの設定・送信処理を示す。
【図５】図１の携帯電話機の制御装置１０で実行される処理を示すフローチャートの残部。メニューメールの選択・送信処理を示す。
【図６】（ａ）は図１の記憶装置１１に保持されている待ち受け返信テーブルを例示する説明図、（ｂ）は返信メールメモリを例示する説明図。
【図７】留守番メール選択後の画面遷移の説明図。
【図８】（ａ）は図１の記憶装置１１に保持されている送信待ちメールメモリの説明図、（ｂ）はメニューメールメモリの説明図。
【符号の説明】
【００３７】
１０  制御装置
１１  記憶装置
１２  音声入力装置
１３  音声出力装置
１４  キー入力装置
１５  表示装置
１６  無線送受信機
１６ａ  アンテナ
【図１】
2008107972.tif 000003
【図２】
2008107972.tif 000004
【図３】
2008107972.tif 000005
【図４】
2008107972.tif 000006
【図５】
2008107972.tif 000007
【図６】
2008107972.tif 000008
【図７】
2008107972.tif 000009
【図８】
2008107972.tif 000010